(57)【特許請求の範囲】
【請求項１】
構造体の孔に挿入されたボルトを構造体に係着するのに使用されるリテーナリングにおいて、
外表面と、内表面と、内表面から延びる少なくとも１つのバネビーム要素とを有する外リングと、
ボルトを受け入れる大きさ及び形状であって、中央に配置された開口と、
を備えており、
ボルトがリテーナリングと係合すると、少なくとも１つのバネビーム要素が、自由位置から拡大位置にまで半径方向に変位して拡大して、ボルトが開口を通って移動可能となり、
ボルトは環状溝を含んでおり、ボルトがリテーナリングの開口を通って移動して、リテーナリングがボルトの環状溝と係合し、合致すると、少なくとも１つのバネビーム要素が自由位置に跳ね返って、ボルトを構造体に係着する、リテーナリング。
【請求項２】
少なくとも１つのバネビーム要素は、外リングの内表面に付けられた第１端部と、第１端部の反対側の自由な第２端部とを有する細長アームを含んでおり、少なくとも１つのバネビーム要素のアームと外リングの内表面との間にスロットが形成されている、請求項１に記載のリテーナリング。
【請求項３】
リテーナリングの少なくとも１つのバネビーム要素は、細長アームの第２端部に形成されたタブ部を含む、請求項１に記載のリテーナリング。
【請求項４】
少なくとも１つのバネビーム要素は、複数のバネビーム要素を含む、請求項３に記載のリテーナリング。
【請求項５】
複数のバネビーム要素の各細長アームの形状は、曲線状である、請求項４に記載のリテーナリング。
【請求項６】
各アームは、外リングと同心状に配置されている、請求項５に記載のリテーナリング。
【請求項７】
各アームは、外リングに対して偏心して配置されている、請求項５に記載のリテーナリング。
【請求項８】
リテーナリングは、ハウジングに装着されるように構成されており、ハウジングは、外壁と、内壁と、内壁と外壁の間に形成される溝とを含んでおり、ハウジングの溝は、リテーナリングを受け入れる大きさ及び形状にされており、リテーナリングの外リングの外表面は、ハウジングの外壁と並置されており、リテーナリングの複数の各バネビーム要素は、ハウジングの内壁と並置される、請求項５に記載のリテーナリング。
【請求項９】
ハウジングは、内壁に形成された複数のウィンドウを含んでおり、複数のウィンドウの各々は、停止面を含んでおり、ハウジングの複数のウィンドウの各々は、リテーナリングの複数のバネビーム要素のタブ部の中の対応するタブ部を受け入れる大きさ及び形状にされている、請求項８に記載のリテーナリング。
【請求項１０】
リテーナリングの各タブ部は圧力パッドを含んでおり、複数のバネビーム要素が拡大位置にあると、各圧力パッドは、ハウジングの停止面中の対応する停止面と接触する、請求項９に記載のリテーナリング。
【請求項１１】
各圧力パッドは、複数のバネビーム要素の中の１つの対応するアームに対して垂直に延びている、請求項１０に記載のリテーナリング。
【請求項１２】
各タブ部は、複数のバネビーム要素の中の１つの対応するアームの自由端部に対して略垂直に、そして、その自由端部と同じ平面に延びている、請求項１１に記載のリテーナリング。
【請求項１３】
バネビーム要素の各アームは、その第１端部に形成されるフック部材を含んでおり、ハウジングの外壁は複数のタブを含んでおり、各フック部材は、ハウジングのタブの中の対応する１つのタブと係合する、請求項１２に記載のリテーナリング。
【請求項１４】
少なくとも１つのバネビーム要素は、複数の片持ちアームを含んでおり、複数の片持ちアームは別個の要素である、請求項１３に記載のリテーナリング。
【請求項１５】
複数の片持ちアームの各々は、第１端部と、第１端部の反対側の第２端部と含んでおり、第１端部は、ボルトと係合する係合部材を含んでおり、第２端部は、ハウジングと係合するフック部材を含む、請求項１４に記載のリテーナリング。
【請求項１６】
各片持ちアームの形状は、曲線状である、請求項１５に記載のリテーナリング。
【発明の詳細な説明】
【技術分野】
【０００１】
＜関連出願の参照＞
本出願は、所有者が共通しており、同時係属している２０１０年６月１４日出願の米国特許仮出願第６１／３９７，６１８号「リテーナリング」、及び２０１０年６月１４日出願の米国特許仮出願第６１／３９７，６１７号「キャプティブパネルファスナアセンブリ」に関し、これらの出願は全て、引用を以て本明細書に組み込まれる。
【０００２】
＜本発明の技術分野＞
本発明は、リテーナリングに関しており、より詳細には、キャプティブファスナアセンブリのリテーナリングに関する。
【背景技術】
【０００３】
ある特定の用途において、ボルトやネジ等を構造体上に保持する(即ち、係着する(captivate))一方で、ボルトのヘッドが構造体から離れて維持される(held)位置(即ち、ホールドアウト(hold-out)位置)にてボルト維持する能力を付与することが望まれる。必要とされているのは、係着(captivation)とボルトのホールドアウトを容易にするファスナである。
【発明の概要】
【０００４】
実施形態では、リテーナリングは、外表面と、内表面と、内表面から延びる少なくとも１つのバネビーム要素とを有する外リングと、ボルトを受け入れる大きさ及び形状であって、中央に配置される開口を備えており、ボルトがリテーナリングと係合すると、少なくとも１つのバネビーム要素が、自由位置から拡大位置(expanded  position)にまで半径方向に変位して拡大し、ボルトは開口を通って移動可能となる。実施形態では、ボルトは環状溝を含んでおり、リテーナリングがボルトの環状溝と係合し、合致する(align  with)と、少なくとも１つのバネビーム要素が自由位置に跳ね返り、ボルトを係着する。
【０００５】
実施形態では、少なくとも１つのバネビーム要素は、外リングの内表面付けられた第１端部と、第１端部の反対側の第２自由端部を有する細長アームとを含んでおり、少なくとも１つのバネビーム要素のアームと外リングの内表面との間にスロットが形成されている。実施形態では、リテーナリングの少なくとも１つのバネビーム要素は、細長アームの第２端部に形成されたタブ部を含む。実施形態では、少なくとも１つのバネビーム要素は、複数のバネビーム要素を含む。実施形態では、複数のバネビーム要素の各細長アームの、形状は、曲線状である。実施形態では、各アームは、外リングと同心状に配置されている。実施形態では、各アームは、外リングとは偏心して配置されている。
【０００６】
実施形態では、リテーナリングはハウジングに装着されるように構成されており、ハウジングは、外壁と、内壁と、内壁と外壁の間に形成される溝とを含んでおり、ハウジングの溝は、リテーナリングを受け入れる大きさ及び形状とされており、リテーナリングの外リングの外表面はハウジングの外壁と並置され、リテーナリングの複数のバネビーム要素の各々は、ハウジングの内壁と並置される。実施形態では、ハウジングは、内壁に形成された複数のウィンドウを含んでおり、複数のウィンドウの各々は停止面を含んでおり、ハウジングの複数のウィンドウの各々は、リテーナリングの複数のバネビーム要素のタブ部の中の対応するタブ部を受け入れる大きさ及び形状にされている。実施形態では、リテーナリングの各タブ部は圧力パッドを含んでおり、複数のバネビーム要素が拡大位置にあるとき、各圧力パッドは、ハウジングの停止面の中の対応する停止面と接触する。
【０００７】
実施形態では、リテーナリングは、ボルト、ネジ又は他の締結ボルト等のネジ要素を構造体に係着する一方で、ボルトヘッドが構造体から離れて保持されている位置にて、結合している(mating)ボルトを保持する能力を与える。実施形態では、リテーナリングは、構造体に係着したグロメットに収容される。実施形態では、リテーナリングは、グロメットアセンブリの一部として、ボルトをワークピースに係着する一方で、ボルトの正のホールドアウト、即ちボルトヘッドがワークピースから離れて保持される状態を与える。実施形態では、リテーナリングは、ハウジングに閉じ込められ(encapsulate)、グロメット無しに構造体に取り付けられる。実施形態では、リテーナリングは、これを構造体に取り付けることなく使用されると、ボルト又は他のネジ部材を、ホールドアウト機能を与えることなく構造体に保持する。実施形態では、リテーナリングは、ハウジング無しで使用される。
【０００８】
実施形態では、リテーナリングは、民間航空機又は軍用機に見られるようなアクセスパネル用のキャプティブパネルファスナ(captive  panel  fastener)の一部として使用される。他の実施形態では、リテーナリングは、あらゆるタイプの適切なファスナ、パネル、構造体、又はワークピースと共に、そして他の種類の分野及び用途において使用されることができる。
【図面の簡単な説明】
【０００９】
以下の実施形態の詳細な説明を添付の図面と併せて参照するべきである。
【図１】図１Ａは、本発明によるリテーナリングの実施形態の上側斜視図であり、図１Ｂは、本発明によるリテーナリングの実施形態の下側斜視図である。
【図２】図２は、リテーナリングの別の実施形態の下側斜視図である。
【図３】図３は、キャプティブパネルファスナの要素として使用される、図１Ａ及び図１Ｂに示すリテーナリングの分解斜視図である。
【図４】図４は、図３に示すキャプティブパネルファスナを組み立てた斜視図である。
【図５】図５は、図３に示すハウジングと係合した図１Ａ及び図１Ｂに示すリテーナリングの斜視図である。
【図６】図６は、パネルに取り付けられ、完全に後退したホールドアウト位置にある、図３に示すキャプティブパネルファスナの断面図である。
【図７】図７Ａ、図７Ｂ及び図７Ｃは、図１Ａ及び図１Ｂに示すリテーナリングを組み込んだ別の実施形態によるキャプティブパネルファスナの断面図である。
【図８】図８Ａ、図８Ｂ及び図８Ｃは、図１Ａ及び図１Ｂに示すリテーナリングを組み込んだ別の実施形態によるキャプティブパネルファスナの断面図である。
【図９】図９Ａ及び図９Ｂは、ボルトに取り付けられた図１Ａ及び図１Ｂに示すリテーナリングの別の実施形態である。
【図１０】図１０Ａ及び図１０Ｂは、リテーナリングの別の実施形態を示す。
【図１１】図１１Ａ及び図１１Ｂは、リテーナリングと、該リテーナリングの結合したハウジングの別の実施形態を示す。
【図１２】図１２Ａ及び図１２Ｂは、リテーナリングと、該リテーナリングの結合したハウジングの別の実施形態を示す。
【図１３】図１３は、ハウジング及び摺動爪のリテーナシステムの別の実施形態の上側斜視図である。
【発明を実施するための形態】
【００１０】
図１Ａ及び図１Ｂを参照すると、実施形態では、リテーナリング(20)は、外表面(78)と、内表面(80)と、内表面(80)から内向きに延びる複数のバネビーム要素(82)とを有する外リング(76)を備えている。実施形態では、各バネビーム要素(82)は、外リング(76)の内表面(80)に一体的に付けられた第１端部(86)と、第１端部(86)の反対側の自由な第２端部(88)とを有する細長アーム(84)を備えている。実施形態では、各アーム(84)と外リング(76)の内表面(80)との間に、スロット(90)が形成されている。スロット(90)により、バネビーム要素(82)の撓みが可能となる。実施形態では、各アーム(84)は、形状が曲線であり、外リング(76)と同心状に配置されている。別の実施形態では、各アーム(84)は、外リング(76)に対して偏心して配置されている。実施形態では、外リング(76)には切れ目がない。別の実施形態では、外リング(76)に切れ目がない必要はなく、バネビーム要素(82)は、形状が曲線であり、外リング(76)上のある点から外リング(76)上の別の点に向かう方向に延びるが、リテーナリング(20)の中心を通過しないように構成されてよい(図示せず)。
【００１１】
さらに、図１Ａ及び図１Ｂを参照すると、実施形態では、各アーム(84)の自由端部(88)はタブ部(92)を含んでいる。実施形態では、各タブ部(92)は、対応するアーム(84)の自由端部(88)に略垂直に、さらに、当該自由端部(88)と同じ平面へと延びている。実施形態では、圧力パッド(94)が、対応する各タブ部(92)から延びている。実施形態では、各圧力パッド(94)は外表面(95)を含んでいる(図４Ａ参照)。実施形態では、各圧力パッド(94)は、対応するアーム(84)に対して垂直な第２の方向に、即ち、リテーナリング(20)が置かれる面から９０度に延びている。実施形態では、各タブ部(92)は、対応するバネビーム要素(82)よりも概して広く、バネビーム要素(82)へのせん断荷重作用(shear  load  action)に耐える大きさにされている。実施形態では、各圧力パッド(94)は、リテーナリング(20)の呼び厚さ(nominal  thickness)よりも厚い。実施形態では、中央に配置される開口(96)が、ビーム要素(82)の自由端部(88)間に形成される。後述するように、開口(96)は、ボルト(12)を受け入れる大きさ及び形状にされる。
【００１２】
実施形態では、図１Ａ及び図１Ｂに示すように、リテーナリング(20)は３つのバネビーム要素(82)を含んでいる。別の実施形態では、図２に示すように、リテーナリング(20)は２つのバネビーム要素(82)を含んでよい。他の実施形態では、リテーナリング(20)は、１つのバネビーム要素(82)又は３つよりも多くのバネビーム要素(82)を含んでよい(図示せず)。実施形態では、リテーナリング(20)は、ベータ−チタン合金から作られる。他の実施形態では、リテーナリング(20)は、ステンレス鋼又は当該技術分野で知られている他の適切な材料から作られる。
【００１３】
図３及び図４を参照すると、実施形態では、リテーナリング(20)は、キャプティブパネルファスナ(10)の一部として示されており、キャプティブパネルファスナ(10)は、ボルト(12)とボルト(12)に取り付けられるグロメットアセンブリ(14)と含んでいる。他の実施形態では、ボルト(12)は、ネジ又は当該技術分野で知られている他のピン部材と置き換えられてよい。実施形態では、グロメットアセンブリ(14)は、上側グロメット(16)、下側グロメット(18)、リテーナリング(20)及びハウジング(22)を具える。実施形態では、リテーナリング(20)は、ハウジング(22)に閉じ込められる(図４及び図６参照)。
【００１４】
図５を参照すると、実施形態では、ハウジング(22)は、リテーナリング(20)を収容する大きさ及び形状にされる。実施形態では、ハウジング(22)の外壁(102)の内径は、リテーナリング(20)の外リング(76)の外径よりも大きくされて、ハウジング(22)は、溝(106)内にリテーナリング(20)を受け入れる。実施形態では、リテーナリング(20)がハウジング(22)に収容されると、ハウジング(22)の各ウィンドウ(110)は、それに対応するリテーナリング(20)のタブ部(92)を受け入れる大きさ及び形状にされる。実施形態では、リテーナリング(20)の圧力パッド(94)は、ハウジング(22)の開口(108)内で自由に延びる一方で、リテーナリング(20)のバネビーム要素(82)のアーム(84)は、溝(106)内に位置して、ハウジング(22)の内壁(104)と並置される。以下でより詳細に説明するように、実施形態では、各バネビーム要素(82)は、リテーナリング(20)の各圧力パッド(94)が、それに対応するハウジング(22)のウィンドウ(110)内にある自由位置と、圧力パッド(94)の外表面(95)がそれに対応する停止面(112)と接触する拡大位置との間で移動可能である。実施形態では、スロット(90)により、バネビーム要素(82)のそのような移動が可能とされる。従って、実施形態では、バネビーム要素(82)が拡大位置にある場合、バネビーム要素(82)の移動は、停止部(112)によって妨げられる。実施形態では、ウィンドウ(110)によって、グロメットアセンブリ(14)の内径の内側にタブ部(92)が突出可能とされている。
【００１５】
図６を参照すると、ファスナ(10)は、ワークピース(114)に装着される。ワークピース(114)は、第１側面(116)と、第１側面(116)の反対側の第２側面(118)と、第１側面(116)から第２側面(118)に渡る孔(120)とを有する。実施形態では、ワークピース(114)はパネルである。実施形態では、ワークピース(114)は、カーボン繊維で強化された構造体である。実施形態では、上側グロメット(16)は、ワークピース(114)の孔(120)に挿入される。実施形態では、孔(120)は、第１側面(116)に形成されており、上側グロメット(16)のヘッド(50)を受け入れる大きさ及び形状である皿穴領域(122)を含んでいるので、ヘッド(50)の上部は、ワークピース(114)の第１側面(116)と面一になる。実施形態では、上側グロメット(16)は、孔(120)の皿穴領域(122)を覆って(line)、装着や使用からワークピース(114)を保護している。実施形態では、ファスナ(10)は、上側グロメット(16)を含む必要がない。次に、実施形態では、下側グロメット(18)の筒状部(62)は、当初はフレア部(66)を備えずに構成されており(図示せず)、ワークピース(114)の第２側面(118)側から、上側グロメット(16)のレセプタクル(46)の開口(48)に挿入される。実施形態では、上側グロメット(16)のレセプタクル(46)は、下側グロメット(18)の筒状部(62)を受け入れる大きさ及び形状にされている。実施形態では、その後、下側グロメット(18)の筒状部(62)の上部を機械的にフレア加工又はスエージ加工することで、フレア部(66)が、上側グロメット(16)の環状ポケット(56)に収まるように形成される。実施形態では、下側グロメット(18)のベース部材(68)の上表面(70)は、ワークピース(114)の第２側面(118)と並置されている。
【００１６】
次に、実施形態では、リテーナリング(20)が、前述のように、そして図５に示すようにしてハウジング(22)と組み合わされて、このアセンブリは、下側グロメット(18)の内側部分(74)内に挿入される。実施形態では、下側グロメット(18)の内側部分(74)の内径は、ハウジング(22)の外径よりも大きく、ハウジング(22)を受け入れる大きさ及び形状にされている。実施形態では、環状の圧縮壁(72)の下端(73)は、その周りで押し付けられて、リテーナリング(20)とハウジング(22)を、下側グロメット(18)の内側部分(74)に閉じ込めて、リテーナリング(20)及びハウジング(22)が抜けることを防止する(図６参照)。
【００１７】
次に、図６を参照すると、実施形態では、ボルト(12)の第２端部(28)は、ワークピース(114)の第１側面(116)からグロメットアセンブリ(14)内に挿入されて、ボルト(12)の第２端部(28)が、リテーナリング(20)に到るまで、軸部(24)のネジ部(36)は、上側グロメット(16)の開口(48)及び下側グロメット(18)の開口(64)に入り込む。実施形態では、ボルト(12)がリテーナリング(20)と係合すると、バネビーム要素(82)は、自由状態位置から拡大位置にまで半径方向に変位して広がるので、ボルト(12)は、リテーナリング(20)の開口(96)を移動可能となる(図６にて図示せず)。前述のように、実施形態では、バネビーム要素(82)は、圧力パッド(94)がハウジング(22)の停止面(112)と接するまで径方向に広がるので、バネビーム要素(82)が移動し過ぎて、恒久的に変形することを防止する(図５参照)。このため、実施形態では、タブ部(92)の圧力パッド(94)の位置は、ウィンドウ(110)の停止面(112)と接触するとバネビーム要素(82)の移動を制限するように構成されている。これによって、実施形態では、リテーナリング(20)がグロメットアセンブリ(14)に収容されている場合、バネビーム要素(82)への応力が制限される。実施形態では、リテーナリング(20)の外リング(76)の内表面(80)は、バネビーム要素(82)の撓みに対する第２の制限として機能する(図５参照)。
【００１８】
実施形態では、図６に示すように、ボルト(12)がリテーナリング(20)に押し込まれて、圧力パッド(94)がボルト(12)の環状溝(40)と係合して、合致する際に、バネビーム要素(82)は、拡大位置から自由状態位置に跳ね返る。このように、実施形態では、圧力パッド(94)が環状溝(40)と係合して環状溝(40)内にあることで、ボルト(12)は、グロメットアセンブリ(14)に係着されている。図６に示すように、ボルト(12)は完全なホールドアウト位置にある。実施形態では、ボルト(12)の傾斜部(44)を、グロメットアセンブリ(14)を通ってワークピース(114)内にさらに挿入させることが可能であり、ボルト(12)のネジ部(36)は、ワークピース(114)の第２側面(118)から露出して、ナット、カラー等のロック部材(図示せず)を受け入れることができる。実施形態では、ボルト(12)はまた、ホールドアウト位置にまで後退可能である。１又は複数の実施形態では、リテーナリング(20)は、ボルト(12)のネジ部(36)の全体に亘ってほとんど抵抗を受けずにスライドする大きさ及び形状とされる。実施形態では、第１環状部(42)によって、ボルト(12)はグロメットアセンブリ(14)から外れる(decaptivated)ことが防止されている。
【００１９】
実施形態では、圧力パッド(94)は、軸受荷重(bearing  loads)を分配し、リテーナリング(20)が、ボルト(12)の隣接する２つのネジ山(38)を跨いで(straddle)、それらネジ山(38)に渡って抵抗なくスライド可能とする。１又は複数の実施形態では、圧力パッド(94)の厚さは、リテーナリング(20)の厚さに対して対称(symmetric)であるか、リテーナリング(20)の厚さに対して非対称(asymmetric)であってよい。
【００２０】
実施形態では、前述のように、ファスナ(10)は、ボルト(12)のホールドアウトを与える一方で、グロメットアセンブリ(14)とグロメットアセンブリ(14)が装着されているワークピース(114)とにボルト(12)を係着する。自由状態では、リテーナリング(20)は、ボルト(12)の第２端部(28)の環状溝(40)に存在しており、グロメットアセンブリ(14)にボルト(12)を係着する。実施形態では、ネジ山(38)と環状溝(40)の共通部分(intersection)が、リテーナリング(20)について支持面をもたらし、ボルト(12)の軸方向の移動を制限して、ボルト(12)がグロメットアセンブリ(14)から取り外されることを防止する。実施形態では、ボルト(12)は「完全後退位置(full  retracted  position)」に位置しており、そこで、ボルト(12)は、ボルト(12)のヘッド(30)がグロメットアセンブリ(14)からの最大距離にある位置にある一方で、グロメットアセンブリ(14)によってワークピース(114)に係着されたままである。実施形態では、この特徴は、ワークピース(114)からボルト(12)を取り外すための抵抗を与え、ボルト(12)を押してワークピース(114)から取り外すことで測定される。実施形態では、ボルト(12)は、ボルト(12)のヘッド(30)がワークピースから最大距離にある位置から、ボルト(12)のヘッド(30)がグロメットアセンブリ(14)とかなりの力で接触する位置まで、軸方向に自由に移動する。実施形態では、この力は１０ポンドである。しかしながら、実施形態では、ユーザによって外力が加えられるまでは、グロメットアセンブリ(14)は、軸方向の任意の位置にボルト(12)を静止させているだろう。ボルト(12)を静止させておくグロメットアセンブリ(14)の能力は、一般的に「ボルトホールドアウト」と呼ばれている。実施形態では、ボルト(12)は、軸部(24)に中空部分がない中実の部品であるので、従って、ボルト(12)の完全な強度が利用されている。
【００２１】
実施形態では、リテーナリング(20)は、半径方向に変位し、自由状態では、ボルト(12)のネジ部(36)の内径と同等である直径にまで収縮できる。拡大状態では、リテーナリング(20)の実施形態は、ネジ部(36)の外径を通すことができる。実施形態では、リテーナリング(20)は、自由状態から拡大状態にまで、リテーナリング(20)の弾性限界を超えずに変位できる。実施形態では、リテーナリング(20)は、ボルト(12)を保持又は固定しており、それを収容している。即ち、リテーナリング(20)は、リテーナリング(20)の中心軸と同心の位置にボルト(12)を保持する一方で、リテーナリング(20)を通るボルト(12)の軸方向の移動を制限している。実施形態では、リテーナリング(20)を通してボルト(12)を移動させるには、リング(20)の規制に打ち勝つ外力を加えることが必要である。実施形態では、リテーナリング(20)の規制は、バネビーム要素(82)の大きさを変えることによって調整できる。
【００２２】
本明細書に記載されるファスナ(10)は単なる例示であって、本明細書に記載された実施形態の完全な精神及び範囲から逸脱することなく、当業者は、多くの変更及び修正を行えることが理解されるであろう。例えば、実施形態では、リテーナリング(20)は、上側グロメット(16)を含んでいないファスナアセンブリ(14)と共に使用されて、下側グロメット(18)がワークピース(114)に直接取り付けられてよい。例えば、図７Ａ乃至図７Ｃを参照すると、実施形態では、キャプティブパネルファスナ(210)は、ボルト(212)と、一つのグロメット(215)と、リテーナリング(220)と、ハウジング(222)とを含んでいる。ファスナ(210)は、フレア部(266)によってワークピース(314)にグロメット(215)が直接取り付けられていることを除いて、前述のファスナ(10)と同様に構成されており、機能する。ファスナ(210)は、グロメット(215)がフレア部(266)によってワークピース(314)に直接取り付けられていることを除いて、ファスナ(10)と同様に構造化され、機能する。実施形態では、リテーナリング(220)は、グロメット(215)に閉じ込められる。
【００２３】
別の実施形態では、図８Ａ乃至図８Ｃを参照すると、キャプティブパネルファスナ(410)は、ボルト(412)と、円盤状部材(415)と、リテーナリング(420)と、ハウジング(422)とを含んでいる。ファスナ(410)は、グロメットが存在しないことと、ワークピース(514)の第２側面(518)に部材(415)が直接取り付けられていることとを除いて、ファスナ(10)と同様に構成されており、機能する。実施形態では、リテーナリング(420)は部材(415)に閉じ込められる。実施形態では、部材(415)は、他の形状及び大きさとされてよい。他の実施形態では、部材(415)は、接合(bonding)、接着剤、溶接、リベットや他のファスナ等の機械的手段、又は、当該技術分野で知られている他の適切な締結固定手段によって、ワークピース(514)に取り付けできる。
【００２４】
別の実施形態では、ファスナ(10)は、上側グロメット(16)と、下側グロメット(18)と、ハウジング(22)とを含む必要はない。これに関して、図９Ａ及び図９Ｂに示す実施形態では、リテーナリング(20)は、前述のようにして、ボルト(12)に直接取り付けできる。これに関して、リテーナリング(20)の外リング(76)の内表面(80)は、ビーム要素(82)の撓みを規制する。
【００２５】
図１０Ａ及び図１０Ｂは、リテーナリング(520)と、ハウジング(522)と、ハウジング(522)に取り付けられるカバー(523)とを有する実施形態を示している。図１０Ａを参照すると、実施形態では、リテーナリング(520)は、３つの別個の曲線状の片持ちアーム(584)を含んでおり、各片持ちアーム(584)は、Ｖ字型の係合部分(594)を有する第１端部(586)と、第１端部(586)の反対側にあって、Ｕ字型のフック部分(589)を有する第２端部(588)とを含んでいる。実施形態では、ハウジング(522)は、円状の外壁(602)と、外壁(602)から離間しており、外壁(602)と同心である円状の内壁(604)とを含んでいる。実施形態では、外壁(602)及び内壁(604)は、円状の溝(606)を形成している。実施形態では、内壁(604)は、内壁(604)を通って広がる複数のウィンドウ(610)を含んでおり、外壁(604)は、それに形成されるＴ字型の複数のスロット(611)を含んでいる。実施形態では、ハウジング(522)は、互いに等距離に配置されている３つのウィンドウ(610)と、互いに等距離に配置されている３つのスロット(611)とを含んでいる。図１０Ｂを参照すると、実施形態では、リテーナリング(520)の各アーム(584)は、ハウジング(522)の溝(606)に収容されている。これに関して、各フック部分(589)は、それに対応するハウジング(522)のスロット(611)と係合する一方で、各係合部分(594)は、それに対応するウィンドウ(610)内に位置する。
【００２６】
実施形態では、(ボルト(12)のような)ボルトがリテーナリング(520)と係合すると、アーム(584)の第１端部(586)は、自由状態位置から拡大位置にまで半径方向に変位して拡大し、ボルト(12)はリング(520)内を移動可能となる(図示せず)。リテーナリング(520)のフック部分(589)がハウジング(522)のスロット(611)と係合することによって、ボルト(12)の挿入中、アーム(584)の第２端部(588)は所定の位置に固定される。ボルト(12)がリテーナリこのように、係合部分(594)の頂点がボルト(12)の環状溝(40)と係合してボルト(12)の環状溝(40)にあることで、ボルト(12)が係着される(図示せず)。
【００２７】
図１１Ａ及び図１１Ｂは、リテーナリング(720)及びハウジング(722)を有する実施形態を示す。図１１Ａを参照すると、実施形態では、リテーナリング(720)は、一対の異なる曲線状の片持ちアーム(784)を含んでおり、各片持ちアーム(784)は、第１端部(786)と、第１端部(786)の反対側の第２端部(788)と、内表面(789)と、内表面(789)から延び、第１端部(786)と第２端部(788)の中間に位置するタブ部(792)とを含んでいる。実施形態では、各タブ部(792)から圧力パッド(794)が延びている。実施形態では、ハウジング(722)は、円状の外壁(802)と、外壁(802)から離間しており、外壁(802)と同心である一対のＶ字型の円状の内壁(804)とを含んでいる。実施形態では、外壁(802)及び内壁(804)は、一対の三日月状の溝(806)を形成する。実施形態では、内壁(804)は、内壁(804)を通って広がる一対のウィンドウ(810)を含んでいる。実施形態では、各ウィンドウ(810)は、停止面(812)を含んでいる。図１１Ｂを参照すると、実施形態では、リテーナリング(720)の各アーム(784)は、それに対応するハウジング(722)の溝(806)に収容される。これに関して、アーム(784)の内表面(789)は内壁(804)と係合し、各タブ部(792)は、それに対応するウィンドウ(810)内に位置する。
【００２８】
実施形態では、(ボルト(12)のような)ボルトがリテーナリング(720)と係合すると、アーム(784)は外壁(802)に向けて変位して、ボルト(12)がリテーナリング(720)内を移動可能となる(図示せず)。実施形態では、圧力パッド(794)がハウジング(722)の停止面(812)と係合するまでアーム(784)が変位するので、アーム(784)が移動し過ぎて恒久的に変形することが防止される(図示せず)。実施形態では、ボルト(12)がリテーナリング(720)に押し込まれて、圧力パッド(794)がボルト(12)の環状溝(40)と係合し、合致すると、アーム(784)は自由状態位置に跳ね返る。このように、圧力パッド(794)がボルト(12)の環状溝(40)と係合してボルト(12)の環状溝(40)内にあることで、ボルト(12)が係着される。
【００２９】
図１２Ａ及び図１２Ｂは、リテーナリング(920)及びハウジング(922)を有する実施形態を示す。図１２Ａを参照すると、実施形態では、リテーナリング(920)は、一対の別個の曲線状の片持ちアーム(984)を含んでおり、各片持ちアーム(984)は、フック部分(987)を有する第１端部(986)と、第１端部(986)の反対側の第２端部(988)とを含んでおり、第２端部(988)は、そこから延びるタブ部(992)を有している。実施形態では、各タブ部(992)から圧力パッド(994)が延びている。実施形態では、ハウジング(922)は、円形の外壁(1002)と、外壁(1002)から離間している一対の弓状の内壁(1004)とを含んでいる。実施形態では、これら内壁(1004)は、互いにずれている(offset)。実施形態では、外壁(1002)及び内壁(1004)は、溝(1006)を形成する。実施形態では、内壁(1004)は、内壁(1004)を通って広がる一対のウィンドウ(1010)を含んでいる。実施形態では、各ウィンドウ(1010)は、停止面(1012)を含んでいる。実施形態では、直径方向に対向する一対のタブ(1003)が、外壁(1002)の内表面から溝(1006)へと延びている。図１２Ｂを参照すると、実施形態では、リテーナリング(920)の各アーム(984)は、ハウジング(922)の溝(1006)に収容される。これに関して、アーム(984)の内表面(989)は内壁(1004)と係合し、各タブ部(992)は、それに対応するウィンドウ(1010)内に存在する。実施形態では、各フック部分(987)は、それに対応する内壁(1004)の端部と、ハウジング(922)のタブ(1003)の１つと係合する。
【００３０】
実施形態では、(ボルト(12)のような)ボルトがリテーナリング(920)と係合すると、アーム(984)の第１端部(986)が自由状態位置から拡大位置にまで半径方向に変位し、拡大して、ボルト(12)はリテーナリング(920)内を移動可能となる(図示せず)。リテーナリング(920)のフック部分(987)の係合によって、ボルト(12)の挿入中、アーム(984)の第２端部(988)は所定の位置に固定される。実施形態では、圧力パッド(994)がハウジング(922)の停止面(1012)と接触するまでアーム(984)が変位するので、アーム(984)が移動し過ぎて恒久的に変形することが防止される(図示せず)。実施形態では、ボルト(12)がリテーナリング(920)に押し込まれ、圧力パッド(994)がボルト(12)の環状溝(40)と係合し、合致すると、アーム(984)は自由状態位置に跳ね返る。このように、圧力パッド(994)がボルト(12)の環状溝(40)と係合してボルト(12)の環状溝(40)内にあることで、ボルト(12)が係着される。
【００３１】
図１３は、円形の外壁(1202)と、外壁(1202)から離間した円状の内壁(1204)とを備えるハウジング(1122)の実施形態を示す。実施形態では、外壁(1202)及び内壁(1204)は、溝(1206)を形成する。実施形態では、内壁(1204)は、内壁(1204)を通って広がる複数のウィンドウ(1210)を含んでいる。実施形態では、ハウジング(1122)は、ウィンドウ(1210)内にスライド自在に配置されるＴ字状の複数の爪(1215)を含んでいる。実施形態では、各爪(1215)は、圧力パッド(1194)を含んでいる。実施形態では、各爪(1215)は、バネ(1199)を受け入れるように構成された開口(1197)を含んでおり、バネ(1199)は、外壁(1202)の内表面に当たって配置されている。
【００３２】
実施形態では、(ボルト(12)のような)ボルトがハウジング(1122)と係合すると、爪(1215)が変位して外壁(1202)に向かって外向きにスライドし、ボルト(12)はハウジング(1122)内を移動可能となる(図示せず)。実施形態では、爪(1215)は、外壁(1202)の内表面と接触するまで変位する(図示せず)。実施形態では、ボルト(12)がハウジング(1122)内に押し込まれ、圧力パッド(1194)がボルト(12)の環状溝(40)と係合し、合致すると、爪(1215)が内向きに跳ね返る。そして、圧力パッド(1194)がボルト(12)の環状溝(40)と係合し、環状溝(40)内にあることで、ボルト(12)が係着される(図示せず)。
【００３３】
これら全ての変更及び修正は、添付の特許請求の範囲に規定される本発明の範囲内に含まれることが意図されている。
【図１】
0005624208.tif 000002
【図２】
0005624208.tif 000003
【図３】
0005624208.tif 000004
【図４】
0005624208.tif 000005
【図５】
0005624208.tif 000006
【図６】
0005624208.tif 000007
【図７】
0005624208.tif 000008
【図８】
0005624208.tif 000009
【図９】
0005624208.tif 000010
【図１０】
0005624208.tif 000011
【図１１】
0005624208.tif 000012
【図１２】
0005624208.tif 000013
【図１３】
0005624208.tif 000014